(57)【要約】      （修正有）【課題】通気性を良好とし、発汗を抑えることができ、重量感を緩和し、ユーザの快適使用に貢献する背負いカバン用パッドを提供する。【解決手段】パッド本体３と、パッド本体の下部に取付けされる下部固定ベルト１１と、パッド本体の上部に取付けされる上部固定ベルト１３とからなる。パッド本体は表地と、裏地と、表地と裏地の間に内在するクッション材とからなり、各全面がメッシュ地からなる表地と裏地の全部に立体メッシュ６、８からなるクッション材が立設される。パッド本体は表地と裏地の２層からなり、表地と裏地の間に空気層が形成される。下部固定ベルトはパッド本体に着脱自在に取付けられる。パッド本体の表地と裏地がメッシュ地からなりかつクッション材が存在することにより、衝撃力が減弱されるだけでなく、空気層が形成されるため通気性が良好となる。【選択図】図１
0003225446.tif 000002
【実用新案登録請求の範囲】
【請求項１】
背負いかばんの背面に装着するパッドであって、
パッド本体と、該パッド本体の下部に取付けされる下部固定ベルトと、該パッド本体の上部に取付けされる上部固定ベルトとからなり、
上記パッド本体が表地と、裏地と、該表地と裏地の間に内在するクッション材とからなり、
各全面がメッシュ地からなる表地と裏地の全部に立体メッシュからなるクッション材が立設されることを特徴とする背負いかばん用パッド。
【請求項２】
請求項１記載の背負いかばん用パッドにおいて、上記パッド本体は表地と裏地の２層からなり、表地と裏地の間に空気層が形成されることを特徴とする背負いかばん用パッド。
【請求項３】
請求項１又は請求項２記載の背負いかばん用パッドにおいて、上記下部固定ベルトが上記パッド本体に着脱自在に取付けられることを特徴とする背負いかばん用パッド。
【請求項４】
請求項３記載の背負いかばん用パッドにおいて、上記下部固定ベルトは一端に上記パッド本体に着脱自在に取付けられる面ファスナーからなる着脱部が設けられ、他端に輪状部が設けられることを特徴とする背負いかばん用パッド。
【請求項５】
請求項１乃至請求項３のいずれか一記載の背負いかばん用パッドにおいて、上記上部固定ベルトが上記パッド本体に着脱自在に取付けられることを特徴とする背負いかばん用パッド。
【請求項６】
請求項５記載の背負いかばん用パッドにおいて、上記上部固定ベルトは両端に面ファスナーからなる着脱部が設けられることを特徴とする背負いかばん用パッド。
【請求項７】
請求項１乃至請求項６のいずれか一記載の背負いかばん用パッドにおいて、上記クッション材と上記パッド本体１の重量比は後者１に対し前者約１／２であることを特徴とする背負いかばん用パッド。
【請求項８】
請求項１乃至請求項７のいずれか一記載の背負いかばん用パッドにおいて、上記クッション材がポリエステルからなることを特徴とする背負いかばん用パッド。
【考案の詳細な説明】
【技術分野】
【０００１】
本願考案はランドセル等の背負いかばんの背面に取り付けてランドセル等を快適に背負うことができる背負いかばん用パッドに関する。
【背景技術】
【０００２】
ランドセルを例に説明すると、学齢期の子供は新陳代謝が活発であるため、使用中発汗することがある。とくに重たいランドセルを使用中には多大の発汗をし、不快感を感ずることになる。
【０００３】
発汗するとカビや汚れの原因となるし、また背中に熱がこもり熱中症のおそれが出てくる。
【０００４】
従来はこれに対し、ランドセルをおろして背面を拭うなどするしかなく、またランドセルの背面を拭ったとして、通学中ユーザ児童の背中を拭うことは困難であった。
【先行技術文献】
【特許文献】
【０００５】
【特許文献１】実用新案登録第３１７５６９６号公報
【考案の概要】
【考案が解決しようとする課題】
【０００６】
本願考案は上記背景に鑑み、通気性を良好とし、発汗を抑えることができる背負いかばん用パッドを供することを目的とする。またランドセル等の背負いかばんの重量感を緩和し、ユーザの快適使用に貢献することをも目的とする。
【課題を解決するための手段】
【０００７】
上記課題解決のため、本願考案請求項１による背負いかばん用パッドは、背負いかばんの背面に装着するパッドであって、パッド本体と、該パッド本体の下部に取付けされる下部固定ベルトと、該パッド本体の上部に取付けされる上部固定ベルトとからなり、上記パッド本体が表地と、裏地と、該表地と裏地の間に内在するクッション材とからなり、各全面がメッシュ地からなる表地と裏地の全部に立体メッシュからなるクッション材が立設されることを特徴とする。
また、本願考案請求項２による背負いかばん用パッドは、請求項１記載の背負いかばん用パッドにおいて、上記パッド本体は表地と裏地の２層からなり、表地と裏地の間に空気層が形成されることを特徴とする。
また、本願考案請求項３による背負いかばん用パッドは、請求項１又は請求項２記載の背負いかばん用パッドにおいて、上記下部固定ベルトが上記パッド本体に着脱自在に取付けられることを特徴とする。
また、本願考案請求項４による背負いかばん用パッドは、請求項３記載の背負いかばん用パッドにおいて、上記下部固定ベルトは一端に上記パッド本体に着脱自在に取付けられる面ファスナーからなる着脱部が設けられ、他端に輪状部が設けられることを特徴とする。
また、本願考案請求項５による背負いかばん用パッドは、請求項１乃至請求項３のいずれか一記載の背負いかばん用パッドにおいて、上記上部固定ベルトが上記パッド本体に着脱自在に取付けられることを特徴とする。
また、本願考案請求項６による背負いかばん用パッドは、請求項５記載の背負いかばん用パッドにおいて、上記上部固定ベルトは両端に面ファスナーからなる着脱部が設けられることを特徴とする。
また、本願考案請求項７による背負いかばん用パッドは、請求項１乃至請求項６のいずれか一記載の背負いかばん用パッドにおいて、上記クッション材と上記パッド本体１の重量比は後者１に対し前者約１／２であることを特徴とする。
また、本願考案請求項８による背負いかばん用パッドは、請求項１乃至請求項７のいずれか一記載の背負いかばん用パッドにおいて、上記クッション材がポリエステルからなることを特徴とする。
【考案の効果】
【０００８】
本願考案は、パッド本体の表地と裏地がメッシュ地からなりかつクッション材が存在することにより、衝撃力が減弱されるだけでなく、空気層が形成されるため通気性が良好となる。よって、発汗を抑えることができるので、ランドセル等を快適に背負うことができる。
【０００９】
また、立体メッシュからなるクッション材が表地と裏地の全部に立設されているパッド本体の存在により、ユーザの背中とランドセル等の間にギャップが生じるので、これによっても通気性が大となり、ランドセル等を快適に背負うことができる。
【００１０】
上部固定ベルト、下部固定ベルトは取外し可能であり、汚れや臭いのつき易いパッド本体のみの洗濯が可能であるので、いつも清潔な状態で使用することができる。
【００１１】
パッド本体は、取外した後の取付けも着脱部が面ファスナーからなるため、ワンタッチで簡易に取付け可能であるので、汚れや臭いのつき易いパッド本体のみこまめに洗濯することができる。
【００１２】
上記クッション材は上記パッド本体の重量に対し約１／２と大量に配設されているから背負時の衝撃力が緩和される。
【００１３】
クッション材は、このように大量配設であるにもかかわらず、立体メッシュ構造であるため多大の空気層が形成され、これにより通気性が大となるのである。
【００１４】
上記クッション材はポリエステルからなるため、発汗による汗を吸収しないのでカビ等が生えにくい。
【図面の簡単な説明】
【００１５】
【図１】（Ａ）は本願考案による背負いかばん用パッドの一実施の形態を示す正面図、（Ｂ）は（Ａ）の一部拡大図である。
【図２】（Ａ）は図１ＩＩ―ＩＩの断面図、（Ｂ）は（Ａ）の一部斜視図である。
【図３】（Ａ）は図１の背負いかばん用パッドをランドセルに装着した状態の正面図、（Ｂ）は（Ａ）のＢ矢視斜視図、（Ｃ）は（Ａ）のＣ矢視斜視図である。
【考案を実施するための形態】
【００１６】
次に、本願考案をランドセル１５に適用した場合の実施の形態を示す図面に基づき、本願考案による背負いかばん用パッドを詳しく説明する。なお、便宜上同一の機能を奏する部分には同一の符号を付してその説明を省略する。
【００１７】
ランドセルパッド１は、パッド本体３と、該パッド本体３の下部に取付ける下部固定ベルト１１と、該パッド本体３の上部に取付ける上部固定ベルト１３とからなる。上記パッド本体３は表地５と、裏地７と、該表地５と裏地７との間に内在するクッション材９とからなる。上記クッション材９の重量は上記パッド本体３の重量に対し約１／２であり、本実施例の場合、パッド本体３：５１ｇに対し、クッション材９：２８ｇである。上記表地５及び上記裏地７は、各々、全面がメッシュ地からなる。６は表地５のメッシュ、８は裏地７のメッシュであり、各々６角形からなる。本実施例の場合、パッド本体３の寸法は縦Ｈ1２８０ｍｍ×横Ｗ２４０ｍｍであり、凹み中央部の寸法Ｈ2は２３０ｍｍである。また各対辺間のメッシュａの大きさは５ｍｍである。上記クッション材９はポリエステルからなる立体メッシュであって、上記表地５及び上記裏地７の間に空気層１０を形成して立設される。本体パッド３の厚さＤは約１０ｍｍである。４は表地５及び裏地７を縫合した上記パッド本体３の縁部である。
【００１８】
下部固定ベルト１１は上部に面ファスナーからなる着脱部１１ａが設けられ、下部にダルマかん１７に取付けられる輪状部１１ｂが設けられる。かかる構成の下部固定ベルト１１はパッド本体３の下部両端部に２箇設けられる。
【００１９】
上部固定ベルト１３はパッド本体３の上部両端部３ａ、３ｂに縫着された２箇の固定片からなり、互いに先端部に面ファスナーからなる着脱部１３ａが設けられる。
【００２０】
図３（Ａ）乃至（Ｃ）は、上記構成のランドセルパッド１をランドセル１５に適用した使用状態を示す。ランドセルパッド１は、ランドセル本体１６と冠裏１９の境目に上部固定ベルト１３を取付け（図３（Ｂ））、各下部固定ベルト１１をランドセル本体１６の下端部に設けられたダルマかん１７に取付ける。即ち、下部固定ベルト１１の輪状部１１ｂをダルマかん１７に掛け、次いで該輪状部１１ｂに着脱部１１ａを通すことにより、下部固定ベルト１１をダルマかん１７に固定する（図３（Ａ））。（図３（Ｃ））。このような状態でランドセル１５を背負って使用する。パッド本体３を取り外すには、各下部固定ベルト１１をダルマかん１７に取付けたまま各着脱部１１ａを取り外し、また上部固定ベルト１３は中央の着脱部１３ａの係合を外せば、極めて容易に取外しすることができる。
【００２１】
本実施の形態によれば、パッド本体３は、表面にメッシュ６を有する２層の表地５と裏地７の中に、空気層１０がランダムに形成される立体メッシュのクッション材９が表地５と裏地７の全部にわたって立設されてなる。よって子供がランドセル１５を背負ったとき、パッド本体３がランドセルにぴったり着くものの、上記構成のパッド本体３があるため、通気性が出る。
【００２２】
パッド本体３は、クッション材９が存在することにより衝撃力が減弱されるだけでなく、空気層１０が形成されるため、通気性が良好となる。よって、発汗を抑えることができるので、ランドセル１５を快適に背負うことができる。
【００２３】
即ち、上記クッション材９は上記パッド本体３の重量に対し約１／２と大量に配設されているから背負時の衝撃力が緩和される。またクッション材９はこのように大量配設であるにもかかわらず、立体メッシュ構造であるため多大の空気層１０が形成され、これにより通気性が大となるのである。
【００２４】
また、立体メッシュからなるクッション材９が表地５と裏地７の全部に立設されているパッド本体３により、子供の背中とランドセル１５の間にギャップが生じるので、これによっても通気性が大となり、ランドセル１５を快適に背負うことができる。
【００２５】
上記クッション材９はポリエステルからなるため、発汗による汗を吸収しないのでカビ等が生えにくい。
【００２６】
上部固定ベルト１３、下部固定ベルト１１は取外し可能であり、汚れや臭いのつき易いパッド本体３のみの洗濯が可能であるので、いつも清潔な状態で使用することができる。
【００２７】
取外した後の取付けも着脱部１３ａが面ファスナーからなるため、ワンタッチで簡易に取付け可能であるので、汚れや臭いのつき易いパッド本体３のみこまめに洗濯することができる。このように、下部固定ベルト１１をダルマかん１７に固定し放しにできるから、下部固定ベルト１１をダルマかん１７に固定する煩雑さがなく、いつも清潔に使用できる。
【００２８】
本願考案は上記した実施の形態に限定されない。例えば、上部固定ベルト１３は１箇のベルト片とし、両端部に面ファスナーを設けて、パッド本体３の上部両端部３ａに着脱自在に取付けるようにしてもよい。この場合には、パッド本体３の着脱自在性も損なわれずに、パッド本体３のみの洗濯が可能となるので望ましい。
【００２９】
また上記した理は大人用の背負いかばんについても言える。
【産業上の利用可能性】
【００３０】
本願考案はランドセル等背負いかばんに活用することができる。
【符号の説明】
【００３１】
１    ランドセルパッド
３    パッド本体
３ａ  上部両端部
４    縁部
５    表地
６    メッシュ
７    裏地
８    メッシュ
９    クッション材
１０    空気層
１１    下部固定ベルト
１１ａ  着脱部
１１ｂ  輪状部
１３    上部固定ベルト
１３ａ  着脱部
１５    ランドセル
１６    ランドセル本体
１７    ダルマかん
１９    冠裏
【図１】
0003225446.tif 000003
【図２】
0003225446.tif 000004
【図３】
0003225446.tif 000005